(57)【要約】【課題】  駆動力伝達部材として新しい概念の部材を導入することで、遊技機内部の空間を有効利用でき、また遊技球の衝突方向や衝突力等の衝突状態を可動部材の姿勢に反映することができ、可動部材の動作態様をファジーな面白みのあるものにすることができる遊技機の提供を課題とする。【解決手段】  遊技球が流下する遊技盤に設けられ且つ所定の動作可能な可動部材３０と、該可動部材３０が前記所定の動作を行うための駆動力を発生する駆動手段５０と、該駆動手段から前記可動部材３０に対して前記駆動力を伝達する駆動力伝達部材とを備えた遊技機であって、前記駆動力伝達部材は、全体として屈曲自在な綱状に形成され、且つ該綱状の一側端部と他側端部が引っ張り合うときは緊張すると共に前記一側端部と他側端部が押し合うときは弛緩する綱状部材４０を用いる。【選択図】        図５
2005261719.tif 000002
【特許請求の範囲】
【請求項１】
遊技球が流下する遊技盤に設けられ且つ所定の動作可能な可動部材と、該可動部材が前記所定の動作を行うための駆動力を発生する駆動手段と、該駆動手段から前記可動部材に対して前記駆動力を伝達する駆動力伝達部材とを備えた遊技機であって、
前記駆動力伝達部材は、全体として屈曲自在な綱状に形成され、且つ該綱状の一側端部と他側端部が引っ張り合うときは緊張すると共に前記一側端部と他側端部が押し合うときは弛緩する綱状部材を用いることを特徴とする遊技機。
【請求項２】
可動部材は、遊技盤面を流下する遊技球を受け入れる開口に対して、該開口への遊技球の受け入れ度合いを変更するための開閉扉、開閉片等の開閉部材とし、
前記開閉部材に対して綱状部材を連結すると共に、該綱状部材を駆動手段によって繰り出すことにより前記開閉部材を開放動作させて開状態とし、或いは前記綱状部材を駆動手段によって繰り込むことにより前記開閉部材を閉成動作させて閉状態とする構成としたことを特徴とする請求項１に記載の遊技機。
【請求項３】
開閉部材が開状態にあるときに、綱状部材を遊技盤面上において緊張状態から更に弛ませた遊び状態に保持する構成としたことを特徴とする請求項２に記載の遊技機。
【請求項４】
開閉部材を開状態から閉状態へと閉成動作させる閉成動作開始時期に先立って、綱状部材を遊び状態から緊張状態へと多少の時間をかけて修正動作させる構成としたことを特徴とする請求項３に記載の遊技機。
【請求項５】
綱状部材の繰り込み速度は、修正動作における速度において、開閉部材を閉成動作させるときの速度よりも遅い速度で行う構成としたことを特徴とする請求項４に記載の遊技機。
【請求項６】
綱状部材が弛んでいる状況を明示する弛み状況明示部材を設けてあることを特徴とする請求項１〜５の何れかに記載の遊技機。
【請求項７】
開口は、特定の遊技状態になったときに開閉部材である開閉扉を１乃至複数回開き、且つ開閉扉が開状態にあるときに多数の遊技球を受け入れることができるようになされた大入賞口であることを特徴とする請求項２〜６の何れかに記載の遊技機。
【発明の詳細な説明】
【技術分野】
【０００１】
本発明はパチンコ機等の遊技機に関する。
【背景技術】
【０００２】
従来、パチンコ機の変動入賞装置等において、駆動手段から可動部材に対して駆動力を伝達する駆動力伝達部材（連結部材）として、可動部材（開閉扉）に設けられた歯車に噛み合わされるラックが形成されたもの（例えば特許文献１）が提供されている。前記変動入賞装置は、遊技状態が特定の遊技状態になると、その変動入賞装置の大入賞口の開閉扉が１乃至複数回開放され、その間に多数の遊技球を受け入れる結果、遊技者は大量の賞球を得ることができるようにした装置である。
また変動入賞装置の前記大入賞口の開閉扉に関して、該開閉扉の閉動作の予告通知を行うものとして、従来、大入賞口の開放をもたらす特別利益作動の終了点までの時間を、その予告報知手段として、７セグメント表示器等を用いて報知するもの（特許文献２）が提供されている。
また変動入賞装置の前記大入賞口に関し、大入賞口への遊技球の入賞を促し或いは妨げるベルト部材が弛緩状態から緊張状態へ移行する態様を視認可能にすることにより、遊技者に大入賞口がベルト部材によって閉鎖されることを予告報知するもの（特許文献３）が提供されている。
またソレノイドを介して遊技球を受け入れない状態と受け入れ易い状態とに変換制御可能な可動部材を、前記遊技球を受け入れ易い状態から受け入れない状態へ変換するときに、ソレノイドの初期オフ後に一時的にソレノイドをオン・オフ微動するのに伴って可動部材としての開閉扉を視認可能に開閉微動させることにより、遊技者に可動部材が遊技球を受け入れない状態に変換されることを予告報知するもの（特許文献４）が提供されている。
【特許文献１】実開平５−７２８４号公報（第６頁、図６）
【特許文献２】特開２００１−２４６１４１号公報（第５〜第７頁、図５〜図８）
【特許文献３】特開２００２−１５３６２１号公報（第４〜第６頁、図３）
【特許文献４】特開平５−２２８２４４号公報（第７頁、図３４）
【発明の開示】
【発明が解決しようとする課題】
【０００３】
ところが上記特許文献１における駆動力伝達部材（連結部材）は、使用状況の性質上、必然的に金属や合成樹脂等の変形に自由度のない剛性の材料で形成されることが望ましく、また設置に際して可動領域を含めた比較的大きな一定の空間を占める必要があるため、限られた遊技機内部の空間においては設置場所が限定されると共に、省スペース化を図る上での支障となっていた。
また上記駆動力伝達部材は、前述した通り自由に変形できない剛性のもので形成されているため、該駆動力伝達部材に連結した可動部材（開閉扉）は、開状態または閉状態の何れの状態においても固定されていた。このため、どのような角度から遊技球が衝突してもこれを跳ね返すのみで、可動部材（開閉扉）の姿勢が変化することはなかった。しかし遊技球の特質として、狭い空間内において遊技球が各種の障害物と衝突を繰り返しながら流下していくことを鑑みれば、遊技球が乱舞する遊技領域にあって、例え様々な角度から遊技球が衝突することによっても、それによる可動部材の姿勢等への反映、或いは影響が全く生じないことは、パチンコ遊技としての興趣に今一つ欠けるものであった。
更に駆動手段と可動部材に介在する駆動力伝達部材は、駆動手段からの駆動力を可動部材に対して伝達するか否か、また伝達するとしても正方向か逆方向か、といった正に機械的な構成であり、その作用は柔軟性のない無機質なものであった。このため連結された可動部材の動作態様は単純なものとなり、パチンコ遊技の興趣の低下を招き、よりファジーな面白みのある動作態様を実現可能な駆動力伝達部材の開発が強く求められていた。
一方、上記特許文献２に示された従来技術の場合、遊技者に大入賞口の閉成動作の予告報知を行うための専用の予告報知手段として、７セグメント指示器等を新たに備える必要があった。
また特許文献３又は特許文献４に示された従来技術の場合、ベルト部材の弛緩から緊張へ移行する動作態様や、開閉扉が開閉微動する動作態様により予告報知するため、予告報知時における大入賞口への入賞確率が低下し、よって遊技者に不利益を被らせてしまうという問題があった。
【０００４】
そこで本発明は上記従来の問題を解消し、駆動力伝達部材として新しい概念の部材を導入することで、遊技機内部の空間を有効利用でき、また遊技球の衝突方向や衝突力等の衝突状態を可動部材の姿勢に反映することができ、可動部材の動作態様をファジーな面白みのあるものにすることができる遊技機の提供を課題とする。
また大入賞口等の開口の開閉部材による閉成動作に関する予告通知を、新たな構成を加えることなく、更に予告報知に伴い開口への遊技球受け入れ個数（確率）の低下を招くことなく行うことができる遊技機の提供を課題とする。
【課題を解決するための手段】
【０００５】
上記課題を達成するため本発明の遊技機は、遊技球が流下する遊技盤に設けられ且つ所定の動作可能な可動部材と、該可動部材が前記所定の動作を行うための駆動力を発生する駆動手段と、該駆動手段から前記可動部材に対して前記駆動力を伝達する駆動力伝達部材とを備えた遊技機であって、前記駆動力伝達部材は、全体として屈曲自在な綱状に形成され、且つ該綱状の一側端部と他側端部が引っ張り合うときは緊張すると共に前記一側端部と他側端部が押し合うときは弛緩する綱状部材を用いることを第１の特徴としている。
上記において「全体として屈曲自在な綱状に形成され」という意味は、綱状部材の全体の全てが屈曲自在な材料だけで構成されている場合の他、綱状部材のうちの一部は屈曲性の乏しい剛性の材料で構成されているものの、全体として屈曲自在といえる場合も含む意味である。
また本発明の遊技機は、上記第１の特徴に加えて、可動部材は、遊技盤面を流下する遊技球を受け入れる開口に対して、該開口への遊技球の受け入れ度合いを変更するための開閉扉、開閉片等の開閉部材とし、前記開閉部材に対して綱状部材を連結すると共に、該綱状部材を駆動手段によって繰り出すことにより前記開閉部材を開放動作させて開状態とし、或いは前記綱状部材を駆動手段によって繰り込むことにより前記開閉部材を閉成動作させて閉状態とする構成としたことを第２の特徴としている。
また本発明の遊技機は、上記第２の特徴に加えて、開閉部材が開状態にあるときに、綱状部材を遊技盤面上において緊張状態から更に弛ませた遊び状態に保持する構成としたことを第３の特徴としている。
また本発明の遊技機は、上記第３の特徴に加えて、開閉部材を開状態から閉状態へと閉成動作させる閉成動作開始時期に先立って、綱状部材を遊び状態から緊張状態へと多少の時間をかけて修正動作させる構成としたことを第４の特徴としている
また本発明の遊技機は、上記第４の特徴に加えて、綱状部材の繰り込み速度は、修正動作における速度において、開閉部材を閉成動作させるときの速度よりも遅い速度で行う構成としたことを第５特徴としている。
また本発明の遊技機は、上記第１〜第５の何れかに記載の特徴に加えて、綱状部材が弛んでいる状況を明示する弛み状況明示部材を設けてあることを第６の特徴としている。
また本発明の遊技機は、上記第２〜第６の何れかに記載の特徴に加えて、開口は、特定の遊技状態になったときに開閉部材である開閉扉を１乃至複数回開き、且つ開閉扉が開状態にあるときに多数の遊技球を受け入れることができるようになされた大入賞口であることを第７の特徴としている。
【発明の効果】
【０００６】
上記請求項１に記載の遊技機によれば、駆動力伝達部材は、全体として屈曲自在な綱状に形成され、且つ該綱状の一側端部と他側端部が引っ張り合うときは緊張すると共に前記一側端部と他側端部が押し合うときは弛緩する綱状部材を用いることにより、
遊技機内部における駆動力伝達部材の設置場所の選択に関し、その設置場所の自由度を十分に高めることができ、またこれによって狭い遊技機内部の空間を有効に利用することができる。
また駆動力伝達部材としての綱状部材に遊技球が種々の方向から種々の衝突力で衝突することによる可動部材の姿勢への反映を可能とし、或いはまた遊技球が可動部材に対して種々の方向から種々の衝突力で衝突することによって綱状部材を緊張させたり弛緩させたりすることにより、その影響を可動部材に帰還させて反映させることができる。またこれにより可動部材の動作態様をファジーな面白みのあるものにすることができる。
【０００７】
上記請求項２に記載の遊技機によれば、綱状部材を用いて、これを駆動手段により繰り出し或いは繰り込むことで、綱状部材に連結された開閉部材を開放動作させ或いは閉成動作させることができる。これによって開閉部材の開閉度を変更することができ、遊技盤面を流下する遊技球を受け入れる開口への遊技球の受け入れ度合いを変更することができる。即ち、遊技球が開口へ入る度合いを変更することができる。
また綱状部材の繰り出し或いは繰り込み長さを調整することで、開閉部材による最大の開放度合いを変更調整することができ、また開閉部材による最小の開放度合い（開放度ゼロを含む）を変更調整することができる。
また綱状部材の繰り出し或いは繰り込み速さを調節することで、開閉部材の開閉速度を調整することができる。
また綱状部材の繰り出し或いは繰り込み速さを変化させることで、開閉部材の開閉速度を開放動作或いは閉成動作の途中で変化させることができる。
綱状部材は紐状のものや糸状のもの、その他の線状のものを用いることができる。またチェーン状のものを状況に応じて自由に選んで用いることができる。
以上のように綱状部材を用いることで、簡単な構成で遊技機の遊技盤面での開閉部材の開閉を斬新に行うことができる。
【０００８】
また請求項３に記載の遊技機によれば、上記請求項２に記載の構成による効果に加えて、開閉部材が開状態にあるときには、綱状部材は遊技盤面上において弛ませた遊び状態に保持されるので、その弛んだ遊び状態にある綱状部材を遊技盤面上で視認する遊技者に対して、状況は未だ綱状部材が緊張状態にはなく、直ぐには開閉部材が閉成しないというメッセージを送ることができる。また遊技者は綱状部材が弛んだ遊び状態にあるのを見ることで、現時点が開閉部材の閉成時期に対する猶予期間であることを認識することができると共に、綱状部材の状態の変化を視覚的に追うことで今までにない新たな遊技状態の変化を一喜一憂して楽しむことができる。
【０００９】
また請求項４に記載の遊技機によれば、上記請求項３に記載の構成による効果に加えて、綱状部材は、開閉部材の閉成動作開始時期に先立って、弛んだ遊び状態から緊張状態へと多少の時間をかけて修正動作されるので、これによって開閉部材の閉成動作が間近いことを遊技者に予告することができる。また遊技者は綱状部材の修正動作を見ることで、終焉近くに迫ったチャンスの期間を大いに利用しようと遊技に励むことになるなど、遊技の抑揚を大いに楽しむことができる。この場合、綱状部材が弛んだ状態から徐々に緊張した状態へと変化してゆく態様は、視覚上において遊技者に非常に斬新な印象を与える。
勿論、綱状部材が弛みを解消してゆく修正動作をしても、緊張状態にならない限りは開閉部材の開口度は何ら変化することがないので、その間においては遊技球の受け入れ度合いが低下することはなく、所定の受け入れ確率を確実に保障することができる。結果として遊技者及び遊技店の双方において、確率変化による不利益を被らせることがない。
【００１０】
また請求項５に記載の遊技機によれば、上記請求項４に記載の構成による効果に加えて、綱状部材の繰り込み速度は、修正動作における速度において、開閉部材を閉成動作させる場合よりも遅い速度で行う構成としているので、遊技者に対して開閉部材の閉成が近い旨の予告をより確実に知らしめることができる。また遊技者はゆっくりと弛みが解消してゆく綱状部材を視認しながら、この修正動作が終わるまでの期間により多くの遊技球を開口に入れようとすることになり、結果として大いに遊技を楽しむことができる。
【００１１】
また請求項６に記載の遊技機によれば、上記請求項１〜５の何れかに記載の構成による効果に加えて、綱状部材が弛んでいる状況を明示する弛み状況明示部材を設けることで、遊技者に対して綱状部材が弛んでいる様子を明示して、確実に視認させることができる。遊技者は弛み状況明示部材を見ることで、綱状部材の弛み具合を容易に且つ確実に視認することができ、遊技に打ち込むことができる。
【００１２】
また請求項７に記載の遊技機によれば、上記請求項２〜６の何れかに記載の構成による効果に加えて、開口が大入賞口で、該大入賞口への遊技球の受け入れ度合いを変更する開閉部材を開閉扉とすることで、大入賞口の開閉扉をそれに連結された綱状部材の繰り出し或いは繰り込みによって開閉動作させることができる。これによって、大入賞口への遊技球の受け入れ度合いを容易な状態から不能な状態まで変更することができる。
また綱状部材を弛ませた遊び状態に保持することで、その弛んだ遊び状態にある綱状部材を遊技盤面上で視認する遊技者に対して、大入賞口が直ぐには閉成しないというメッセージを送ることができる。また遊技者は綱状部材が弛んだ遊び状態にあるのを見ることで、大入賞口の閉成時期に対する猶予期間であることを認識することができると共に、綱状部材の状態の変化を視覚的に追うことで今までにない新たな遊技状態の変化を楽しむことができる。
また綱状部材を、大入賞口の開閉扉の閉成動作開始時期に先立って、弛んだ遊び状態から緊張状態へと多少の時間をかけて修正動作させるようにすることで、大入賞口の閉成動作が間近いことを遊技者に予告することができる。また遊技者は綱状部材の修正動作を見ることで、終焉近くに迫った大入賞口入賞のチャンスを逃すまいと遊技に励むことになるなど、遊技の抑揚を十分に楽しむことができる。また綱状部材が大入賞口の開閉扉と関連して弛んだ状態から徐々に緊張した状態へと変化してゆく態様は、遊技者に非常に斬新な印象を与える。
勿論、綱状部材が弛みを解消してゆく修正動作をしても、緊張状態にならない限りは開閉扉による大入賞口の開口状態は何ら変化することがない。
また綱状部材の繰り込み速度に関して、綱状部材の弛みを解消してゆく修正動作の速度を、開閉扉を閉成動作させる速度よりも遅い速度にすることで、遊技者に対して大入賞口の閉成が近い旨の予告をより確実に知らしめることができる。また遊技者はゆっくりと弛みが解消してゆく綱状部材を視認しながら、この修正動作が終わるまでの期間により多くの遊技球を大入賞口に入れようとし、結果として大いに遊技を楽しむことができる。
【発明を実施するための最良の形態】
【００１３】
（第１の実施形態）
［概要］
先ず、本発明の第１の実施形態の概要について説明する。
本実施形態は、駆動手段としてステッピングモータと、該ステッピングモータによって繰り出し或いは繰り込まれる綱状部材としてのワイヤー部材と、該ワイヤー部材に連結される開閉部材としての開閉扉と、該開閉扉を開放或いは閉成する変動入賞装置としての大入賞口とを備えた遊技機としてのパチンコ機である。大入賞口の開閉扉は常に開放する方向にバネ付勢力を受けており、ワイヤー部材の繰り込みにより閉成し、繰り出しにより開放する。ワイヤー部材は、大入賞口が完全に開放された後も、更に適当に弛んだ状態になるまで繰り出されて遊び状態となる。これにより大入賞口は、その開閉扉の閉成時には、閉成動作に先立って、ワイヤー部材の弛みを解消する動作が行われる。
【００１４】
［詳細］
図１〜図６を参照して、第１の実施形態を詳細に説明する。
図１は第１の実施形態の遊技機としてのパチンコ機の遊技盤面の正面図、図２は大入賞口の拡大正面図である。図３は大入賞口の開閉扉を示し、（Ａ）は斜視図、（Ｂ）は側面図である。図４の（Ａ）、（Ｂ）、（Ｃ）は、それぞれ大入賞口の開閉扉の開閉状態とワイヤー部材の状態を示す概略斜視図である。図５は牽引巻取装置を説明する斜視図で、（Ａ）は牽引巻取装置がワイヤー部材を繰り出した状態を示し、（Ｂ）は牽引巻取装置がワイヤー部材を巻き取った状態を示す。図６はパチンコ機の牽引巻取装置の制御を説明するブロック図である。
【００１５】
先ず図１を参照して、遊技機としてのパチンコ機は遊技盤１０を備えている。図示しない発射装置によって打ち出された遊技球は、レール１１でガイドされた助走路１２を経て、遊技盤１０面上の遊技領域１３に飛び出し、遊技盤１０面上を流下する。
１４は表示部で、普通図柄、特別図柄といった種類の図柄の変動・停止を表示したり、その他の表示を行う部分である。
遊技盤１０面には、一般入賞口１５と称される開口、普通図柄の図柄変動の始動契機となる始動ゲート１６或いは特別図柄の図柄変動の始動契機となる始動口１７と称される開口、大入賞口２０と称される開口などの種々の開口が設けられている。
遊技盤１０面上を下まで流下した遊技球はアウト口１８に流れ込む。
前記大入賞口２０は、遊技盤１０面上を流下してくる遊技球を受け入れる度合いが、遊技状況に応じて大きく変動する変動入賞装置の１つで、大入賞口２０に設けられた開閉部材としての開閉扉が開状態にあるときに多数の遊技球を受け入れることができ、開閉扉が閉状態にあると、遊技球の受け入れを不可とする開口である。この大入賞口２０は遊技状態がある特定の遊技状態になったときに、その期間において、開閉扉を１乃至複数回、開状態とする。遊技者は開閉扉が開状態にあるときに、多数の遊技球を入賞させることが可能となる。
【００１６】
図２〜図５も参照して、大入賞口２０は、該大入賞口２０を開閉する開閉部材としての開閉扉３０を備えている。また該開閉扉３０には綱状部材としてのワイヤー部材４０が連結されている。そしてワイヤー部材４０を繰り出し或いは繰り込む駆動手段として牽引巻取装置５０を遊技盤１０の裏側に備えている。
【００１７】
前記大入賞口２０は、遊技盤１０の裏まで貫通する横長の矩形状の開口として取付基板２１に設けられている。取付基板２１はビス２２等で遊技盤１０に取り付け固定されている。また大入賞口２０の両側方のやや上部には、前記ワイヤー部材４０を遊技盤１０の裏側に導くための挿通穴２３が設けられている。
【００１８】
前記開閉部材である開閉扉３０は、図３の（Ａ）、（Ｂ）に示すように、取付基板２１の大入賞口２０を構成する開口の下方に且つ両側に設けられた支軸３１によって、回転自在に軸支されている。そして前記支軸３１の斜め下方と取付基板２１との間に張られた付勢バネ３２によって、開閉扉３０が常時開放方向に付勢されるように構成されている。
また開閉扉３０の上部両側には、前記ワイヤー部材４０を連結するためのワイヤー連結軸３３が取り付けられている。このワイヤー連結軸３３は、ワイヤー部材４０の先端の連結部４１を回動自在に軸支する。
【００１９】
前記ワイヤー部材４０は、駆動手段である牽引巻取装置５０によって巻き取られ（繰り込まれ）或いは繰り出される。
ワイヤー部材４０には弛み状況明示部材４２が取り付けられている。この弛み状況明示部材４２は、ワイヤー部材４０が遊技盤１０上で弛んでいる様子を遊技者に明示する役割を果たす。が、本実施形態ではワイヤー部材４０が弛むのを助ける錘の役割も兼ねている。また本実施形態では弛み状況明示部材４２は、例えば花形状に形成し、その中央部をワイヤー部材４０が貫通するように構成している。
ワイヤー部材４０は前記挿通穴２３を貫通して遊技盤１０の裏側に延び、牽引巻取装置５０に取り付けられている。
【００２０】
図４を参照して、（Ａ）は大入賞口２０の開閉扉３０が開状態にあり、且つ綱状部材であるワイヤー部材４０が弛んで垂下した遊び状態を示す。錘を兼ねた弛み状況明示部材４２が下方にぶら下がった状態となっている。（Ｂ）は開閉扉３０は開状態にあるが、ワイヤー部材４０はその弛みが解消された緊張状態となっている状態を示す。また（Ｃ）はワイヤー部材４０が牽引巻取装置５０によって十分に繰り込まれた結果、開閉扉３０が付勢バネ３２に抗して閉成された状態を示す。
【００２１】
図４の（Ａ）においては、支軸３１によって取付基板２１に軸支された開閉扉３０は、付勢バネ３２によって、その下部を上方に引っ張られることで常に開状態になろうとする。またワイヤー部材４０は牽引巻取装置５０により所定の長さまで繰り出され、弛み状況明示部材４２の重みで弛み、視認可能に垂下している。
図４の（Ａ）の状態からワイヤー部材４０が牽引巻取装置５０によって繰り込まれていくと、開閉扉３０は開状態を維持しつつ、ワイヤー部材４０のみが徐々にその弛んだ遊び状態から弛みを解消した緊張状態へと移行するという修正動作がなされる。
前記修正動作により、ワイヤー部材４０の弛みが完全に解消されると、図４の（Ｂ）に示すように、開閉扉３０が開状態を維持するも、ワイヤー部材４０は緊張状態となる。
そしてワイヤー部材４０は、牽引巻取装置５０により更に繰り込まれることにより、連結部４１及びワイヤー連結軸３３を介して開閉扉３０を取付基板２１方向（大入賞口２０の閉止方向）へ引き寄せ、開閉扉３０の閉成動作が開始される。ワイヤー部材４０の繰り込みが更に行われることにより、開閉扉３０が完全に取付基板２１の開口を閉塞し、図４の（Ｃ）に示すように、大入賞口２０を閉成する。
【００２２】
図５を参照して、駆動手段としての牽引巻取装置５０は、モータとしてのステッピングモータ５１と、ワイヤー巻取軸５２と、該ワイヤー巻取軸５２に構成された一対の巻取部５３、５３とを有する。
各巻取部５３は、２枚の円板５３ａ、５３ａが、ワイヤー部材４０の１本分だけ入ることができる程度の隙間をもって、相互に対向配置された構成とされている。そしてワイヤー部材４０の基端部が、この２枚の円板５３ａ、５３ａの隙間にあって、当該円板５３ａ、５３ａ中心を貫通するワイヤー巻取軸５２に取り付けられることで、ワイヤー部材４０の巻き取り（繰り込み）及び繰り出しができるようになされている。
今、図５の（Ａ）に図示するワイヤー部材４０が最も繰り出された状態から、ステッピングモータ５１が回転駆動されることでワイヤー巻取軸５２が矢印方向に回転されると、この回転に伴って、ワイヤー部材４０が巻取部５３の２枚の円板５３ａ、５３ａにガイドされながら巻き取られる。
以上のような牽引巻取装置５０では、巻取部５３はその円板５３ａ、５３ａ間の隙間がワイヤー１本分だけを受け入れる寸法とされていることから、ワイヤー部材４０が巻き取られるにしたがい、その巻き取り半径は１巻き毎にワイヤー部材４０の線の直径寸法ずつ増加してゆく。即ち、ステッピングモータ５１の回転速度を一定に保った状態であっても、ワイヤー部材４０の巻き取り（繰り込み）は最初はゆっくりと行われ、巻き取りが進むにつれて増加する。
このようにして、ワイヤー部材４０が弛んだ遊び状態から巻き取られる（繰り込まれる）のに伴い、その弛んだ遊び状態が徐々に解消されてゆく。そして弛みが解消されていく過程、即ちワイヤー部材４０の修正動作では、開閉扉３０は開状態を維持しつつ、ワイヤー部材４０の弛みだけが徐々に小さくなって、その遊びが解消されてゆく。このとき弛み状況明示部材４２はその位置を徐々に上昇させ、ワイヤー部材４０の弛み状況の変化を遊技者に対して明示する。また上記のような牽引巻取装置５０では、巻き取り初期はワイヤーの巻き取り速度（繰り込み速度）がゆっくりと行われ、これが次第に速くなる仕組みにされているので、前記ワイヤー部材４０が弛んだ遊び状態からその弛みが解消されるまでの修正動作は、その後に行われる開閉扉３０の閉成動作に較べてゆったりしたものとなる。
【００２３】
前記ワイヤー部材４０の繰り込みにより、ワイヤー部材４０の弛みが解消される修正動作が終わり、ワイヤー部材４０が緊張状態となった後、更に牽引巻取装置５０によるワイヤー部材４０の繰り込みが行われると、ワイヤー部材４０による開閉扉３０の閉成動作が行われる。この閉成動作が終了することで、図５の（Ｂ）に示すように開閉扉３０が大入賞口２０を閉状態とする。
【００２４】
一方、図５の（Ｂ）に示すワイヤー部材４０が最も巻き取られた状態において、ステッピングモータ５１がワイヤー部材４０の繰り出し方向に回転駆動すると、ワイヤー巻取軸５２及び巻取部５３を介してワイヤー部材４０が繰り出される。これにより付勢バネ３２の付勢力によって開閉扉３０が閉状態から所定の開状態まで開放される。そしてステッピングモータ５１は、開閉扉３０が所定の開状態の位置で停止した後も、更に少しの時間回転し、ワイヤー部材４０を所定の状態まで垂下して弛んだ遊び状態になるまで繰り出す。この状態が図５の（Ａ）である。
【００２５】
図６を参照して、ステッピングモータ５１はパチンコ機のコントローラ６０によってその回転のタイミング、回転方向、回転距離等が制御される。即ち、パチンコ機の遊技状態を制御するコントローラ６０が、特定の遊技状態として、大入賞口２０を１乃至複数回開放することを決定すると、その大入賞口２０を開放するプログラムにしたがって、大入賞口２０の開閉扉３０の開閉信号が、図示しない中継基板等を経てコントローラ６０からステッピングモータ５１に送信される。
ステッピングモータ５１は、開閉扉３０を開く開放信号として正駆動信号を受信すると、正回転してワイヤー部材４０を繰り出す。また開閉扉３０を開く閉成信号を受信すると、逆回転してワイヤー部材４０を巻き取る。
【００２６】
前記ステッピングモータ５１による正回転の回転量（ワイヤー部材４０の繰り出し量）については、予め図４の（Ｃ）に示す開閉扉３０の閉状態位置から図４の（Ａ）に示す位置（ワイヤー部材４０が最大の遊び状態となる位置）までに必要なワイヤー部材４０の長さを定め、このワイヤー部材４０の必要長さに対応したステッピングモータ５１の回転量を決定して、記憶させておけばよい。
ステッピングモータ５１による逆回転の回転量（ワイヤー部材４０の繰り込み量）も前記正回転の回転量と同じ量として記憶させておく。
【００２７】
以上のようにステッピングモータ５１の正回転と逆回転の回転量を記憶させておくことで、コントローラ６０から正駆動信号を受信すると、ステッピングモータ５１は記憶した正回転の回転量だけ回転してワイヤー部材４０を必要長さだけ繰り出し、この結果、開閉扉３０を閉状態から開状態とし、更にワイヤー部材４０を図４の（Ａ）や図５の（Ａ）に示す弛んだ遊び状態まで繰り出す。
【００２８】
一方、コントローラ６０は、開閉扉３０を閉成動作させる時期に対して、その時期よりも前記修正動作に必要な時間だけ早くした時期に、ステッピングモータ５１の逆駆動信号を出す。これにより開閉扉３０の閉成動作開始時期に先立って、ステッピングモータ５１の逆回転が開始され、ワイヤー部材４０の巻き取り（繰り込み）によるワイヤー部材４０の弛みの修正動作が行われる。そして修正動作が終了した時点が開閉扉３０の閉成動作時期と一致し、引き続いて開閉扉３０の閉成動作が行われる。
前記修正動作に必要な時間は予め測定してコントローラ６０に記憶させておくことで、開閉扉３０の閉成時期に先立つワイヤー部材４０の巻き取り開始時期（繰り込み開始時期）を容易に得ることができる。
【００２９】
上記においてワイヤー部材４０の繰り出しは、開閉扉３０の閉状態から開状態への移行を経てワイヤー部材４０が弛んだ遊び状態になるまでの間を一連の繰り出し動作として行った。が、必ずしも一連の動作とする必要はない。ワイヤー部材４０の繰り出しは、開閉扉３０が閉状態から開状態になるまで（ワイヤー部材４０は緊張状態のまま）の繰り出しと、開閉扉３０が開状態（ワイヤー部材４０は緊張状態のまま）になった後、ワイヤー部材４０が弛んだ遊び状態になるまでの繰り出しとを区別し、別々の制御信号でそれぞれが行われるようにしてもよい。
また同様にワイヤー部材４０の繰り込みは、ワイヤー部材４０が弛んだ遊び状態から緊張状態になるまでの修正動作（開閉扉３０は開状態のまま）と、ワイヤー部材４０が緊張状態にある開閉扉３０の開状態から閉状態に至るまでの閉成動作とを区別し、別々の制御信号でそれぞれが行われるようにしてもよい。
以上のようにして、開閉扉３０の開放動作と、ワイヤー部材４０の弛ませ動作と、ワイヤー部材４０の修正動作と、開閉扉３０の閉成動作とを、それぞれ別々の動作として行わせることで、開閉扉３０が開状態にあるときにワイヤー部材４０を複数回繰り返して弛ませたり緊張させたり、各動作間で時間を適当においたり、その他、それらの動作をバラエティーに富んだ組み合わせで行わせることができ、パチンコ遊技者に対する遊技興味を高揚させることができる。
【００３０】
なお上記の実施形態においては、ステッピングモータ５１の回転速度を一定とし、巻取部５３の構成により、ワイヤー部材４０の巻き取り速度（繰り込み速度）を開始時から終了時にかけて加速するようにし、且つ繰り出し速度の変化を巻き取り速度の変化とは逆にしている。しかしステッピングモータ５１の回転速度そのものを変更することで、開閉扉３０の開放動作と閉成動作が素早く行われ、ワイヤー部材４０の弛ませ動作や修正動作についてはそれよりも遅い速度で行われるようにしてもよい。
要するに、開閉扉３０の開放動作と閉成動作が素早く行われ、ワイヤー部材４０の弛ませ動作や修正動作がそれよりも遅い速度で行われるようにするための構成は、その手段が限定されるものではない。
【００３１】
（第２の実施形態）
図７を参照して、本発明の第２の実施形態を説明する。
図７はワイヤー部材及び牽引巻取装置を説明する斜視図で、（Ａ）は牽引巻取装置がワイヤー部材を繰り出した状態を示し、（Ｂ）は牽引巻取装置がワイヤー部材を巻き取った（繰り込んだ）状態を示す。
【００３２】
本実施形態は、綱状部材としてのワイヤー部材７０が上記第１の実施形態のワイヤー部材４０と異なる点を除き、第１の実施形態の構成と同様である。同様の部材、要素については、第１の実施形態で用いた部材、要素の符号と同じ符号を用いて説明を省略する。
【００３３】
第１の実施形態におけるワイヤー部材４０は、錘を兼ねた弛み状態明示部材４２を用いて、ワイヤー部材４０に垂れ下がった弛みをもたらすようにしたが、本第２の実施形態では、ワイヤー部材７０の一部を鎖状部７２としている。
詳述すると、ワイヤー部材７０は、図７の（Ａ）に示す巻き取り（繰り出し）開始時の状態において、連結部７１から取付基板２１の挿通穴２３までの部分を、他の部分よりも相対的に重い鎖状部７２に形成している。
前記鎖状部７２を形成したワイヤー部材７０を用いることで、図７の（Ｂ）に示す状態からワイヤー部材７０の繰り出しを開始する際において、ワイヤー部材７０の繰り出しが開始されると、先ず付勢バネ３２の付勢力によって、開閉扉３０が所定の位置まで開放され、その後、ワイヤー部材７０の鎖状部７２の自重により、ワイヤー部材７０の繰り出しに伴ってワイヤー部材７０が垂下して弛んだ遊び状態となる。
前記鎖状部７２は、これを金属によって形成することにより、繰り込み或いは繰り出しにおいて、鎖状部７２と取付基板２１との金属同士の接触による金属音が発生し、この接触音によって遊技者に繰り出し或いは繰り込み状態であること、更には弛んだ遊び状態からの修正動作状態であること等の報知を行うことが可能である。
【００３４】
以上で説明した第１、第２の実施形態においては、パチンコ機の大入賞口における開閉扉を対象としたが、本発明はその対象が大入賞口に限定されるものではなく、その他の入賞口を含む開口の開閉扉を対象として含むものである。
また上記第１、第２の実施形態においては、開口の開閉扉を対象としたが、本発明の対象は開閉扉に限定されるものではなく、開閉扉以外の開閉片やその他の開閉部材を対象として含むものである。
また第１、第２の実施形態においては、一対のワイヤー部材を用いて開閉部材の繰り出し、繰り込みを行うようにしているが、必ずしも一対である必要はない。またワイヤー部材はその材質が特に限定されるものではなく、紐状、線状、扁平な帯状等、開閉部材を開閉操作することができる綱状の部材であればよい。本発明はそのような綱状部材をその範囲に含むものである。
また第１、第２の実施形態においては、ワイヤー部材を繰り出し或いは繰り込む手段として、牽引巻取装置を用いているが、これに限定されるものではない。要するワイヤー部材等の綱状部材を繰り出し或いは繰り込むことができる駆動手段であればよい。本発明はそのような駆動手段をその範囲に含むものである。
更に上記したコントローラ６０の機能は、パチンコ遊技機の遊技の進行を制御する主基板（図示しない）に搭載されたＣＰＵの一機能として構成されたものでもよい。
【図面の簡単な説明】
【００３５】
【図１】本発明の第１の実施形態の遊技機としてのパチンコ機の遊技盤面の正面図である。
【図２】第１の実施形態のパチンコ機における大入賞口の拡大正面図である。
【図３】第１の実施形態のパチンコ機における大入賞口の開閉扉を示し、（Ａ）は斜視図、（Ｂ）は側面図である。
【図４】第１の実施形態のパチンコ機における大入賞口の開閉扉の開閉状態を示す斜視図で、（Ａ）は開閉扉が開状態で且つワイヤー部材が弛んだ遊び状態にある場合を示し、（Ｂ）は開閉扉が開状態で且つワイヤー部材が緊張状態にある場合を示し、（Ｃ）は開閉扉が閉状態にある場合を示す。
【図５】第１の実施形態のパチンコ機における牽引巻取装置を説明する斜視図で、（Ａ）は牽引巻取装置がワイヤー部材を繰り出した状態を示し、（Ｂ）は牽引巻取装置がワイヤー部材を巻き取った状態を示す。
【図６】第１の実施形態のパチンコ機における牽引巻取装置の制御を説明するブロック図である。
【図７】本発明の第２の実施形態のパチンコ機におけるワイヤー部材及び牽引巻取装置を説明する斜視図で、（Ａ）は牽引巻取装置がワイヤー部材を繰り出した状態を示し、（Ｂ）は牽引巻取装置がワイヤー部材を巻き取った（繰り込んだ）状態を示す。
【符号の説明】
【００３６】
１０    遊技盤
１１    レール
１２    助走路
１３    遊技領域
１４    表示部
１５    一般入賞口
１６    始動ゲート
１７    始動口
１８    アウト口
２０    大入賞口
２１    取付基板
２３    挿通穴
３０    開閉扉
３１    支軸
３２    付勢バネ
３３    ワイヤー連結軸
４０    ワイヤー部材
４１    連結部
４２    弛み状況明示部材
５０    牽引巻取装置
５１    ステッピングモータ
５２    ワイヤー巻取軸
５３    巻取部
６０    コントローラ
７０    ワイヤー部材
７１    連結部
７２    鎖状部
【図１】
2005261719.tif 000003
【図２】
2005261719.tif 000004
【図３】
2005261719.tif 000005
【図４】
2005261719.tif 000006
【図５】
2005261719.tif 000007
【図６】
2005261719.tif 000008
【図７】
2005261719.tif 000009